(57)【要約】【課題】本発明は、現場での組み立てに便利で、且つファイバ同士を強固に接続できる光ファイバコネクタを提供することを目的とする。【解決手段】本発明に係る光ファイバコネクタは、光ケーブルを固定し、光ケーブルは、光ファイバ、内保護層、外保護層、ケブラー、を備える。光ファイバコネクタは、ハウジングと、クランプ機構と、クランプ機構の一端に設置されたフェルールと、固定部材と、を備える。固定部材は、装着座、固定座及び蓋体を備え、固定座は、装着座の内部に固定され、蓋体は、装着座と組み合わさって、固定座を挟み、ハウジングは、固定座の外周に装着され、クランプ機構は、装着座の内部に収容され、固定座には、固定棒が設けられ、固定棒には、軸方向に沿って、光ファイバを差し込むための通孔が設けられ、外保護層は、固定棒の外周に装着される。【選択図】図２
2014146027.tif 000002
【特許請求の範囲】
【請求項１】
光ファイバと、前記光ファイバの表面に形成された内保護層と、前記内保護層の外周に装着された外保護層と、前記内保護層と前記外保護層との間に設置されたケブラーと、を備える光ケーブルを固定し、且つハウジングと、クランプ機構と、前記クランプ機構の一端に設置されたフェルールと、を備える光ファイバコネクタにおいて、
前記光ファイバコネクタは、更に固定部材を備え、前記固定部材は、装着座、固定座及び蓋体を備え、前記固定座は、前記装着座の内部に固定され、前記蓋体は、前記装着座と組み合わさって、前記固定座を挟み、前記ハウジングは、前記固定座の外周に装着され、前記クランプ機構は、前記装着座の内部に収容され、前記固定座には、固定棒が設けられ、前記固定棒には、軸方向に沿って、前記光ファイバを差し込むための通孔が設けられ、前記外保護層は、前記固定棒の外周に装着されることを特徴とする光ファイバコネクタ。
【請求項２】
前記装着座は、スリーブ及び該スリーブの一端から延在して形成された固定体を備え、前記スリーブには、軸方向に沿って収容孔が設けられ、前記クランプ機構が前記収容孔内部に収容されることを特徴とする請求項１に記載の光ファイバコネクタ。
【請求項３】
前記固定座は、１つの本体及び前記本体に突出されている固定部を備え、前記固定体は、底壁及び前記底壁の対向する両側から垂直延在して形成された２つの側壁を備え、前記スリーブと前記固定体との間には、２つの階段部が形成され、各階段部には、前記側壁と平行する挟みアームが設けられ、前記挟みアームは、前記固定体内部に収容され、前記挟みアームと前記固定部とが組み合わさって、前記ケブラーを挟むことを特徴とする請求項２に記載の光ファイバコネクタ。
【請求項４】
各１つの前記挟みアームには、挟み部が設けられ、前記固定部の対向する２つの外表面には、それぞれ前記挟み部と対応する組み合わせ部が設けられ、前記組み合わせ部と前記挟み部が組み合わさって、前記ケブラーを挟むことを特徴とする請求項３に記載の光ファイバコネクタ。
【請求項５】
前記挟み部は、前記挟みアームから突出している複数の第一突起及び前記複数の第一突起の間に設置された複数の第一凹溝を備え、前記組み合わせ部は、複数の第二突起及び前記複数の第二突起との間に形成された複数の第二凹溝を備え、前記複数の第一突起は、対応する前記第二凹溝に収容され、前記複数の第二突起は、対応する前記第一凹溝に収容されることを特徴とする請求項４に記載の光ファイバコネクタ。
【請求項６】
前記蓋体は、基板及び前記基板の対向する両側から垂直に延在して形成され、且つ互い平行する側板を備え、前記基板には、互いに平行する２つの絞めアームが設けられ、前記絞めアームは、前記ケブラーを挟むことを特徴とする請求項３に記載の光ファイバコネクタ。
【請求項７】
前記固定体の各側壁の外表面の前記スリーブと隣接する一端には、棒部が設けられ、前記蓋体の側板の一端には、前記棒部に対応する定位孔が設けられ、前記棒部は、前記定位孔の内部に装着されて、前記蓋体が、回転可能に前記固定体に装着されることを特徴とする請求項６に記載の光ファイバコネクタ。
【請求項８】
前記固定体の各側壁と底壁とが接続している箇所には、１つの第一ロック溝が設けられ、前記本体の前記固定部に位置する両側には、互いに平行する弾性アームが形成され、各弾性アームには、前記第一ロック溝に対応する１つのロック突起が設けられ、前記ロック突起は、前記第一ロック溝の内部にロックされることを特徴とする請求項７に記載の光ファイバコネクタ。
【請求項９】
前記本体の前記弾性アームと離れている一端には、支持部が設けられ、前記基板の前記絞めアームと隣接する一端には、前記支持部に対応する接触部が設けられていることを特徴とする請求項８に記載の光ファイバコネクタ。
【請求項１０】
前記固定体の各側壁の外表面の一端には、ロック突起が設けられ、前記蓋体の側板には、前記ロック突起に対応する第二ロック溝が設けられ、前記ロック突起は、前記第二ロック溝にロックされることを特徴とする請求項７に記載の光ファイバコネクタ。
【発明の詳細な説明】
【技術分野】
【０００１】
本発明は、光ファイバコネクタに関し、特に現場で組み立てることが出来る光ファイバコネクタに関するものである。
【背景技術】
【０００２】
従来の現場組み立て用コネクタのブーツには、光ケーブルを簡単に差し込むための通孔が設けられている。また、ブーツの内部には内ネジ部が設けられており、ブーツの内ネジ部はコネクタのハウジングの外ネジ部に装着されて、光ケーブルを固定すると同時に、光ケーブルのケブラー（Ｋｅｖｌａｒ）(登録商標)が、ハウジングのネジ部を挟んで固定する。しかし、異なる光ケーブルの直径のサイズは異なるので、コネクタのブーツ端部の通孔は、該通孔と対応する１つの光ケーブルしか固定できない。
【発明の概要】
【発明が解決しようとする課題】
【０００３】
以上の問題点に鑑みて、本発明は、現場での組み立てに便利で、且つファイバ同士を強固に接続できる光ファイバコネクタを提供することを目的とする。
【課題を解決するための手段】
【０００４】
前記課題を解決するために、本発明に係る光ファイバコネクタは、光ケーブルを固定し、光ケーブルは、光ファイバと、前記光ファイバの表面に形成された内保護層と、前記内保護層の外周に装着された外保護層と、前記内保護層と前記外保護層との間に設置されたケブラーと、を備える。光ファイバコネクタは、ハウジングと、クランプ機構と、前記クランプ機構の一端に設置されたフェルールと、を備える。前記光ファイバコネクタは、更に固定部材を備え、前記固定部材は、装着座、固定座及び蓋体を備え、前記固定座は、前記装着座の内部に固定され、前記蓋体は、前記装着座と組み合わさって、前記固定座を挟み、前記ハウジングは、前記固定座の外周に装着され、前記クランプ機構は、前記装着座の内部に収容され、前記固定座には、固定棒が設けられ、前記固定棒には、軸方向に沿って、前記光ファイバを差し込むための通孔が設けられ、前記外保護層は、前記固定棒の外周に装着される。
【発明の効果】
【０００５】
本発明に係る光ファイバコネクタの固定部には、光ケーブルの外保護層の外周に装着する固定棒が設けられ、光ケーブルの直径のサイズが異なっても、その外保護層の内径は同じである。従って、直径が異なる光ケーブルの外保護層でも、固定棒に装着できるので、光ファイバコネクタは、直径が異なる光ケーブルを固定することができる。
【図面の簡単な説明】
【０００６】
【図１】本発明に係る光ファイバコネクタに光ケーブルの組立斜視図である。
【図２】図１に示した光ファイバコネクタの蓋体を開けた状態を示す斜視図である。
【図３】図１に示した光ファイバコネクタの分解図である。
【図４】図２に示した光ファイバコネクタを別の視覚から見た分解図である。
【発明を実施するための形態】
【０００７】
以下、図面に基づいて、本発明に係る光ファイバコネクタについて詳細に説明する。
【０００８】
図１及び図２を参照すると、本発明に係る光ファイバコネクタ１００は、フェルール１０、クランプ機構２０、弾性部材３０、ハウジング４０及び固定部材５０を備える。フェルール１０は、クランプ機構２０の一端に固定され、弾性部材３０は、クランプ機構２０のフェルール１０と離れている一端に装着され、クランプ機構２０は、固定部材５０の内部に収容され、ハウジング４０は、固定部材５０の外周に装着される。
【０００９】
光ファイバコネクタ１００は、光ケーブル７０を固定する。光ケーブル７０は、光ファイバ７２と、光ファイバ７２の表面に形成された内保護層７４と、外保護層７６と、ケブラー７８と、を備える。外保護層７６は、略円柱状を呈し、内保護層７４の外周に装着して、外保護層７６と内保護層７４との間に一定の間隙を形成し、ケブラー７８は、内保護層７４と外保護層７６との間に収容される。本実施形態において、光ケーブル７０の一部分の内保護層７４及び一部分の外保護層７６は剥離され、光ファイバ７２及び内保護層７４が外部に露出する。これにより、光ケーブル７０を簡単に光ファイバコネクタ１００の内部に固定できる。
【００１０】
本実施形態において、光ファイバコネクタ１００は、ＳＣ型の光ファイバコネクタである。ハウジング４０は、四角柱状を呈し、ＳＣ型の光ファイバのパターン（Ｆｉｂｅｒ  Ｏｐｔｉｃ  Ａｄａｐｔｅｒ）と組み合わさる。また、光ファイバコネクタ１００は、ハウジング４０の形を変更して、ＦＣ型、ＬＣ型等の他の種類の光ファイバコネクタに変更することができる。
【００１１】
固定部材５０は、装着座５２、固定座５４及び蓋体５６を備える。固定座５４は、装着座５２の内部に固定され、蓋体５６は、装着座５２と組み合わさって、固定座５４を挟み、且つ光ケーブル７０を固定する。
【００１２】
図３及び図４を参照すると、装着座５２は、スリーブ５２２及びスリーブ５２２の一端から延在して形成された固定体５２４を備える。スリーブ５２２には、収容孔５２２２が設けられ、クランプ機構２０はこの収容孔５２２２内部に収容される。
【００１３】
固定体５２４は、四角柱状を呈し、底壁５２４２及び底壁５２４２の対向する両側から垂直延在して形成された２つの側壁５２４４を備える。側壁５２４４は、スリーブ５２２の軸線と平行する。底壁５２４２の幅は、スリーブ５２２の直径より大きく、また、スリーブ５２２と固定体５２４との間には、２つの階段部５２６が形成されている。各階段部５２６には、側壁５２４４と平行して位置する挟みアーム５２６２が設けられている。挟みアーム５２６２は、固定体５２４の内部に収容され、各１つの挟みアーム５２６２の別の挟みアーム５２６２に隣接する表面には、挟み部５２６４が設けられている。本実施形態において、挟み部５２６４は、挟みアーム５２６２から突出している複数の第一突起５２６５及び複数の第一突起５２６５の間に設置された複数の第一凹溝５２６６を備える。第一突起５２６５は、長い三角錐状を呈し、第一突起５２６５の延在方向は、スリーブ５２２の軸線に垂直する。底壁５２４２には、側壁５２４４と平行する方向に沿って、２つの狭溝５２４３が設けられている。各側壁５２４４の外表面のスリーブ５２２と隣接する一端には、棒部５２４５が設けられ、各側壁５２４４と底壁５２４２とが接続されている箇所には、１つの第一ロック溝５２４６が設けられている。各側壁５２４４の外表面の別の一端には、ロック突起５２４８が設けられている。
【００１４】
固定座５４は、１つの本体５４２及び本体５４２に突設されている固定部５４４を備える。本体５４２における固定部５４４に隣設する両側には、互いに平行して位置する弾性アーム５４２２が形成されており、各弾性アーム５４２２には、固定体５２４の第一ロック溝５２４６に対応する１つのロック突起５４２４が設けられている。本体５４２の弾性アーム５４２２と離れている一端には、支持部５４３が設けられている。固定部５４４は、略Ｕ形状を呈し、且つ取り付け溝５４６が設けられており、固定部５４４の取り付け溝５４６と離れている一端には、本体５４２と平行する方向に沿って、１つの固定棒５４８が設けられている。固定棒５４８には、軸方向に沿って、取り付け溝５４６と連通する通孔５４８２が設けられ、固定棒５４８の末端は、支持部５４３の上部に位置する。固定部５４４の対向する２つの外表面には、それぞれ固定体５２４の挟み部５２６４と対応する組み合わせ部５４４４が設けられている。この組み合わせ部５４４４は、固定部５４４の外表面から突出している複数の第二突起５４４５及び複数の第二突起５４４５との間に形成された複数の第二凹溝５４４６を備える。本実施形態において、第二突起５４４５は、長い三角錐状を呈し、第二突起５４４５の延在方向は、本体５４２と垂直する。
【００１５】
蓋体５６は、矩形のフレーム状を呈し、基板５６２及び基板５６２の対向する両側から垂直に延在して形成され、且つ互いに平行して位置する側板５６４を備える。基板５６２には、２つの絞めアーム５６２２が設けられ、この２つの絞めアーム５６２２は、２つの側板５６４と平行する。基板５６２の絞めアーム５６２２と隣接する一端には、固定座５４の支持部５４３に対応する接触部５６２４が設けられている。絞めアーム５６２２は、板状を呈し、末端は面取りされている。側板５６４の接触部５６２４と離れている一端には、固定体５２４の棒部５２４５に対応して、定位孔５６４２が設けられており、側板５６４の別の一端には、固定体５２４のロック突起５２４８に対応して、第二ロック溝５６４４が設けられている。
【００１６】
図１〜図４に示したように、光ファイバコネクタ１００を組み立てる際、先ず、フェルール１０及び弾性部材３０が装着されているクランプ機構２０を装着座５２のスリーブ５２２の内部に装着する。次に、固定座５４を、装着座５２の固定体５２４の内部に装着する。この時、装着座５２のロック突起５４２４は、対応する固定体５２４の第一ロック溝５２４６にロックされ、組み合わせ部５４４４の第二突起５４４５は、対応する挟み部５２６４の第一凹溝５２６６の内部に収容され、挟み部５２６４の第一突起５２６５は、対応する組み合わせ部５４４４の第二凹溝５４４６の内部に収容される。光ケーブル７０は、固定棒５４８の通孔５４８２を通過して、クランプ機構２０の内部に装着され、クランプ機構２０は光ファイバ７２を挟み、光ケーブル７０の内保護層７４は対応する通孔５４８２の内部に収容され、ケブラー７８は、挟み部５２６４と組み合わせ部５４４４との間に収容される。同時に、外保護層７６を固定棒５４８の外周に装着する。蓋体５６は、定位孔５６４２と固定体５２４の棒部５２４５とが組み合うことによって、固定体５２４に回転可能に装着される。次いで、ハウジング４０を、装着座５２のスリーブ５２２の外周に装着する。
【００１７】
蓋体５６は、棒部５２４５に対して回転し、且つ固定体５２４のロック突起５２４８は、蓋体５６の第二ロック溝５６４４とロックされる。この際、蓋体５６の絞めアーム５６２２の末端は、対応する固定体５２４の狭溝５２４３に収容され、絞めアーム５６２２は、挟みアーム５２６２を挟み、挟み部５２６４の第一突起５２６５は、対応する組み合わせ部５４４４の第二凹溝５４４６の底部と接触する。組み合わせ部５４４４の第二突起５４４５は、対応する挟み部５２６４の第一凹溝５２６６の底部と接触して、挟み部５２６４と組み合わせ部５４４４とが組み合わさってケブラー７８を挟む。更に、蓋体５６の接触部５６２４と固定座５４の支持部５４３が組み合わさって光ケーブル７０の外保護層７６を挟む。
【００１８】
本発明の光ファイバコネクタ１００の固定部５４４には、光ケーブル７０の外保護層７６の外周に装着する固定棒５４８が設けられており、光ケーブル７０の直径のサイズが異なっても、その外保護層７６の内径は同じである。従って、直径が異なる光ケーブル７０の外保護層７６でも、固定棒５４８に装着できるので、光ファイバコネクタ１００は、直径が異なる光ケーブル７０を固定することができる。また、蓋体５６は、ロック方式によって、固定体５２４に固定されるので、光ケーブル７０の装着及び取り外しに便利である。
【符号の説明】
【００１９】
１００  光ファイバコネクタ
１０  フェルール
２０  クランプ機構
３０  弾性部材
４０  ハウジング
５０  固定部材
５２  装着座
５２２  スリーブ
５２２２  収容孔
５２４  固定体
５２４２  底壁
５２４３  狭溝
５２４４  側壁
５２４５  棒部
５２４６  第一ロック溝
５２４８  ロック突起
５２６  階段部
５２６２  挟みアーム
５２６４  挟み部
５２６５  第一突起
５２６６  第一凹溝
５４  固定座
５４２  本体
５４２２  弾性アーム
５４２４  ロック突起
５４３  支持部
５４４  固定部
５４４４  組み合わせ部
５４４５  第二突起
５４４６  第二凹溝
５４６  取り付け溝
５４８  固定棒
５４８２  通孔
５６  蓋体
５６２  基板
５６４  側板
５６２２  絞めアーム
５６２４  接触部
５６４２  定位孔
５６４４  第二ロック溝
７０  光ケーブル
７２  光ファイバ
７４  内保護層
７６  外保護層
７８  ケブラー
【図１】
2014146027.tif 000003
【図２】
2014146027.tif 000004
【図３】
2014146027.tif 000005
【図４】
2014146027.tif 000006